【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
識別情報の可変表示を行い、識別情報の可変表示の表示結果として特定表示結果が導出表示されたときに遊技者にとって有利な特定遊技状態に制御する遊技機であって、
未だ開始されていない識別情報の可変表示において前記特定表示結果が導出表示される可能性を予告する先読み演出を実行する先読み演出実行手段と、
実行中の識別情報の可変表示の表示結果として前記特定表示結果が導出表示される可能性が異なる複数の演出態様のうち何れかで予告演出を実行する予告演出実行手段と、
を備え、
前記先読み演出実行手段は、第１の先読み演出を実行する第１の先読み演出実行手段と、前記第１の先読み演出とは異なる第２の先読み演出を、識別情報の可変表示の表示結果として特定表示結果が導出表示される場合に、前記第１の先読み演出が実行される割合よりも高い割合で実行する第２の先読み演出実行手段と、を含み、
前記予告演出実行手段は、
予告演出として、リーチ前予告演出とリーチ後予告演出とを実行可能であり、
前記第１の先読み演出及び前記第２の先読み演出が共に実行されたときに、前記第２の先読み演出の実行に応じたリーチ前予告演出を実行する、
ことを特徴とする遊技機。
【手続補正２】
【補正対象書類名】明細書
【補正対象項目名】０００８
【補正方法】変更
【補正の内容】
【０００８】
（Ａ）上記目的を達成するため、本発明の遊技機は、識別情報（例えば、特別図柄や飾り図柄など）の可変表示を行い、識別情報の可変表示の表示結果として特定表示結果（例えば、大当り図柄や大当り組合せの確定飾り図柄など）が導出表示されたときに遊技者にとって有利な特定遊技状態（例えば、大当り遊技状態など）に制御する遊技機（例えば、パチンコ遊技機１など）であって、未だ開始されていない識別情報の可変表示において前記特定表示結果が導出表示される可能性を予告する先読み演出を実行する先読み演出実行手段（例えば、ステップＳ１６２の先読み演出実行処理を実行する演出制御用ＣＰＵ１２０など）と、実行中の識別情報の可変表示の表示結果として前記特定表示結果が導出表示される可能性が異なる複数の演出態様（例えば、予告演出態様ＹＥＰ１−１〜ＹＥＰ１−４、ＹＥＰ２−１〜ＹＥＰ２−４に対応する演出態様など）のうち何れかで予告演出を実行する予告演出実行手段（例えば、ステップＳ４６４にて予告演出動作制御を実行する演出制御用ＣＰＵ１２０など）と、を備え、前記先読み演出実行手段は、第１の先読み演出（例えば、第１又は第２先読み演出など）を実行する第１の先読み演出実行手段（例えば、第１の先読み演出が第１先読み演出であった場合にはステップＳ３０２を、第２先読み演出であった場合にはＳ３０４を実行する演出制御用ＣＰＵ１２０など）と、前記第１の先読み演出とは異なる第２の先読み演出（例えば、第１の先読み演出が第１先読み演出であった場合には第２又は第３先読み演出、第２先読み演出であった場合には第３先読み演出など）を、識別情報の可変表示の表示結果として特定表示結果が導出表示される場合に、前記第１の先読み演出が実行される割合よりも高い割合で実行する第２の先読み演出実行手段（例えば、第２の先読み演出が第２先読み演出であった場合にはＳ３０４を、第３先読み演出であった場合にはＳ３０６を実行する演出制御用ＣＰＵ１２０など）と、を含み、前記予告演出実行手段は、予告演出として、リーチ前予告演出とリーチ後予告演出とを実行可能であり、前記第１の先読み演出及び前記第２の先読み演出が共に実行されたときに、前記第２の先読み演出の実行に応じたリーチ前予告演出を実行する、ことを特徴とする。
（１）上記目的を達成するため、本発明の他の遊技機は、遊技媒体（例えば、遊技球など）が始動領域（例えば普通入賞球装置６Ａが形成する第１始動入賞口や普通可変入賞球装置６Ｂが形成する第２始動入賞口など）を通過した後に、所定の開始条件が成立したことに基づいて識別情報（例えば、特別図柄や飾り図柄など）の可変表示を行い、該識別情報の表示結果として特定表示結果（例えば、大当り図柄や大当り組合せの確定飾り図柄など）が導出表示されたときに遊技者にとって有利な特定遊技状態（例えば、大当り遊技状態など）に制御する遊技機（例えば、パチンコ遊技機１など）であって、前記始動領域を遊技媒体が通過したが未だ前記開始条件が成立していない可変表示の保留記憶情報を所定の上限記憶数（例えば、第１、第２特図保留記憶数がそれぞれ「４」以下など）の範囲内で記憶する保留記憶手段（例えば、第１、第２特図保留記憶部など）と、前記保留記憶情報に基づいて、前記開始条件が成立していない可変表示の表示結果が特定表示結果となるか否かを判定する開始条件成立前判定手段（例えば、ステップＳ２１１Ａの入賞時乱数値判定処理を実行するＣＰＵ１０３など）と、前記開始条件成立前判定手段の判定結果に基づいて、該判定結果に対応する可変表示が開始される以前に、該可変表示の表示結果が特定表示結果となる可能性を予告する先読み演出を実行する先読み演出実行手段（例えば、ステップＳ１６２の先読み演出実行処理を実行する演出制御用ＣＰＵ１２０など）と、前記可変表示の開始条件が成立したときに、前記保留記憶情報に基づいて、該可変表示の表示結果を特定表示結果とするか否かを決定する開始条件成立時決定手段（例えば、ステップＳ２４０で特図表示結果を決定するＣＰＵ１０３など）と、前記開始条件成立時決定手段の決定結果に基づいて、前記開始条件が成立した可変表示中に、該可変表示の表示結果が特定表示結果となる可能性が異なる複数の演出態様（例えば、予告演出態様ＹＥＰ１−１〜ＹＥＰ１−４、ＹＥＰ２−１〜ＹＥＰ２−４に対応する演出態様など）のうち何れかで予告演出を実行する予告演出実行手段（例えば、ステップＳ４６４にて予告演出動作制御を実行する演出制御用ＣＰＵ１２０など）と、を備え、前記先読み演出実行手段は、第１の先読み演出（例えば、第１又は第２先読み演出など）を実行可能な第１の先読み演出実行手段（例えば、第１の先読み演出が第１先読み演出であった場合にはステップＳ３０２を、第２先読み演出であった場合にはＳ３０４を実行する演出制御用ＣＰＵ１２０など）と、前記判定結果に対応する可変表示の表示結果が特定表示結果となる割合が該第１の先読み演出とは異なる第２の先読み演出（例えば、第１の先読み演出が第１先読み演出であった場合には第２又は第３先読み演出、第２先読み演出であった場合には第３先読み演出など）を、該第１の先読み演出と識別可能な態様で実行可能な第２の先読み演出実行手段（例えば、第２の先読み演出が第２先読み演出であった場合にはＳ３０４を、第３先読み演出であった場合にはＳ３０６を実行する演出制御用ＣＰＵ１２０など）と、を含み、前記予告演出実行手段は、前記第１の先読み演出及び前記第２の先読み演出が共に実行され、該実行された先読み演出のうちで前記特定表示結果となる割合が高い先読み演出の当該割合が特定割合（例えば、第１特定割合又は第２特定割合）よりも高いときに、前記開始条件成立時決定手段の決定結果が特定表示結果でない場合の実行割合に対して、前記開始条件成立時決定手段の決定結果が特定表示結果である場合の実行割合が所定の基準よりも高い演出態様で予告演出を実行する（例えば、演出制御用ＣＰＵ１２０が、ステップＳ５０２にて中基準を決定した場合には、図３０（Ｂ）または図３１（Ｂ）の選択割合で、高基準を決定した場合には図３０（Ｃ）または図３１（Ｃ）の選択割合で予告演出の態様を決定する部分など）、ことを特徴とする。
このような構成によれば、遊技の興趣を高めることができる。